(57)【特許請求の範囲】
【請求項１】
玄米を投入する投入ホッパー（１）を本体ケース（２）内に設け該投入ホッパー（１）の投入空間（３）を開放、閉鎖する投入開閉扉（４）を本体ケース（１）前面と略同一平面に設け、且つ、該投入開閉扉（４）は隣接の操作表示部（５）との間に設置する縦方向のヒンジ（６）を中心に開閉可能とし、該投入開閉扉（４）の開放時に該投入開閉扉（４）が操作表示部（５）の前面を覆う構成とすることを特徴とする料金式精米設備。
【請求項２】
投入開閉扉（４）にはロック機構（７）が設けられ該ロック機構（７）は料金の投入により解除され、玄米投入後投入開閉扉（４）の閉鎖によりロックされると共に操作表示部（５）の精白度選択スイッチ（８）が点灯するよう構成することを特徴とする請求項１記載の料金式精米設備。
【請求項３】
投入開閉扉（４）に投入ホッパー（１）及び投入空間（３）を視認可能の透明窓（１６）を設け、投入開閉扉（４）の開放状態のとき該透明窓（１６）を操作表示部（５）の精白度選択スイッチ（８）に対向する位置に設けてなる請求項１又は請求項２記載の料金式精米設備。
【請求項４】
本体ケース（２）の正面に点検用扉（４１）を設け、投入開閉扉（４）を点検用扉（４１）に取り付けたことを特徴とする請求項１から請求項３いずれの料金式精米設備。
【発明の詳細な説明】
【技術分野】
【０００１】
本発明は、利用者が持参した籾や玄米等の穀物を精米処理する料金式精米設備に関する。
【背景技術】
【０００２】
特許文献１には、屋外型自動精米装置として精米装置本体と糠小屋を個別に配置すると共に、利用者が玄米を投入する投入口を精米装置本体の前面部より奥側に窪ませた個所に手前側が下方となるように傾斜させて配置し該投入口の奥部に設けられた回転支軸を中心に手前側部分を手前側から上方に開けることで開閉する投入口開閉扉を設けることにより、投入口を精米装置本体により囲まれた閉鎖空間に配置し玄米投入時の玄米の飛散を防止する技術が記載されている。この技術にあっては玄米の飛散は防止できるものであるが、開閉扉の位置や開閉方向が他の一般的な穀粒処理装置と大きく相違し、始めての利用者や、稀に利用する人にとっては操作しづらいものである。
【０００３】
又、一般の通行人がごみなどを投入口に投げ入れることを防止する手段として、該投入口の開閉扉が閉鎖されると共に張込ホッパー内に玄米が無くなったことを検出したときに開閉扉をロックする技術について記載されている。しかしながら、上記したように開閉扉の位置や操作方向が難解であるため、開閉扉を開け投入口から玄米を投入した後開閉扉を閉めない状態のまま玄米の流入状況等を観察する場合があり、開閉扉の閉鎖を失念する恐れがある。この場合には開閉扉のロックが行われず初期の目的を達し得ない。
【先行技術文献】
【特許文献】
【０００４】
【特許文献１】特許第４０３３７１７号公報
【発明の概要】
【発明が解決しようとする課題】
【０００５】
この発明は、所謂軒先ビジネスと称され、地価の高い都市部にあっても軒先の僅かなスペースを利用して設置可能な料金式精米設備を提供しようとするものであり、コンパクトで操作性に配慮し、且つ、都市部の多数の通行者から設備を保護することを課題とする。
【課題を解決するための手段】
【０００６】
この発明は、かかる技術的課題を解決するために次のような技術的手段を構成した。すなわち、請求項１の発明は、玄米を投入する投入ホッパー（１）を本体ケース（２）内に設け該投入ホッパー（１）の投入空間（３）を開放、閉鎖する投入開閉扉（４）を本体ケース（１）前面と略同一平面に設け、且つ、該投入開閉扉（４）は隣接の操作表示部（５）との間に設置する縦方向のヒンジ（６）を中心に開閉可能とし、該投入開閉扉（４）の開放時に該投入開閉扉（４）が操作表示部（５）の前面を覆う構成とする。
【０００７】
請求項２の発明は、請求項１記載の発明において、投入開閉扉（４）にはロック機構（７）が設けられ該ロック機構（７）は料金の投入により解除され、玄米投入後投入開閉扉（４）の閉鎖によりロックされると共に操作表示部（５）の精白度選択スイッチ（８）が点灯するよう構成する。
【０００８】
請求項３の発明は、請求項１又は請求項２記載の発明において、投入開閉扉（４）に投入ホッパー（１）及び投入空間（３）を視認可能の透明窓（１６）を設け、投入開閉扉（４）の開放状態のとき該透明窓（１６）を操作表示部（５）の精白度選択スイッチ（８）に対向する位置に設けする。
【０００９】
請求項４の発明は、請求項１から請求項３いずれに記載の発明において、本体ケース（２）の正面に点検用扉（４１）を設け、投入開閉扉（４）を点検用扉（４１）に取り付けたことを特徴とする。
【発明の効果】
【００１０】
請求項１記載の発明においては、玄米を投入する投入ホッパー１を本体ケース２内に設け該投入ホッパー１の投入空間３を開放、閉鎖する投入開閉扉４を本体ケース１前面と略同一平面に設け、且つ、該投入開閉扉４は隣接の操作表示部５との間に設置する縦方向のヒンジ６を中心に開閉可能に構成するものであるから、投入開閉扉４の位置と開閉機構及び開閉方向が自然であって初めての利用者であっても容易に操作できる。
【００１１】
又、投入開閉扉４は隣接の操作表示部５との境界部に設置する縦方向のヒンジ６を中心に開閉可能で該投入開閉扉４の開放時に該投入開閉扉４が操作表示部５の前面を覆うよう構成するものであるから、玄米投入後投入開閉扉４を閉鎖しないと操作表示部５が該投入開閉扉４に覆われ操作が行いづらく、必然的に投入開閉扉４を閉鎖することとなり、従前の如き投入開閉扉４の閉鎖忘れによるトラブルを防止し設備を保護することが可能である。
【００１２】
更に、投入開閉扉４は本体ケース２の前面の範囲内で開閉され、本体ケース２より外方に突出することがなく、都市部のようにスペースの少ない場所においてもコンパクトに設置できるものである。
【００１３】
請求項２記載の発明では、投入開閉扉４にはロック機構７が設けられ該ロック機構７は料金の投入により解除され、玄米投入後投入開閉扉４の閉鎖によりロックされると共に操作表示部５の精白度選択スイッチ８が点灯するよう構成したものであるから、投入開閉扉４の閉鎖とロック機構７のロックを条件に精米設備の運転が可能であり、投入開閉扉４の閉鎖忘れを確実に防止することができる。
【００１４】
請求項３記載の発明では、投入開閉扉４に投入ホッパー１及び投入空間３を視認可能の透明窓１６を設けるに、投入開閉扉４の開放状態のとき該透明窓１６が操作表示部５の精白度選択スイッチ８に対応する位置に設けるものであるから、精米運転時には玄米の流入状況等を把握でき、又、投入開閉扉４を開放し玄米を投入ホッパー１へ供給時、またはその終了時に、透明窓１６から次工程の精白度選択スイッチ８が確認でき、その操作手順が認識され易く、又、その操作の準備のため投入開閉扉４の閉鎖の必要性が認識されるため作業を円滑に行うことができる。
【００１５】
請求項４記載の発明では、点検用扉４１を開くと、投入空間３と機械室Ｋが露出し、管理者は所望の点検を行なうことができる。
【図面の簡単な説明】
【００１６】
【図１】正面図
【図２】開閉扉を開いた状態を示す図
【図３】平面図
【図４】正面から見た内部を説明する図
【図５】側面から見た内部を説明する図
【図６】側面から見た内部を説明する図
【図７】左側面図
【発明を実施するための形態】
【００１７】
この料金式精米設備は、所謂軒先ビジネス等と称され地価の高い都市部にあっても狭い面積にコンパクトに設置可能な設備であって、又、多数の通行者による悪戯からも保護しようとするものである。
【００１８】
本体ケース２は左右幅広で上下に長い箱型の直方体状をなし、正面視略三等分状に左からその上部に投入開閉扉４を、中央部上部に操作表示部５を、その下部に白米ホッパー１０の正面を覆う取出開閉扉３０を、右側に糠袋１２等を内装する糠回収室１３を右端のヒンジ１４．１４に枢支され右方向へ開く開閉する糠回収室開閉扉３１を配置してある。
【００１９】
投入開閉扉４は隣接の操作表示部５との間のスペースに設置する縦方向のヒンジ６.６を中心に開閉可能で該投入開閉扉４の開放時に該投入開閉扉４が操作表示部５の前面を覆うよう構成してある。該投入開閉扉４の一部には透明の樹脂材で構成される透明窓１６を設けてあり、投入空間３及び投入ホッパー１内を観察可能である。該透明窓１６の位置は投入開閉扉４の開放時、操作表示部５の精白度選択スイッチ８に対応する位置に設けてあり、次工程の精白度選択スイッチ８の操作や、その為に、投入開閉扉４の閉鎖の必要性を操作者に認識させることができる。
【００２０】
操作表示部５には、前述の精白度選択スイッチ８を精白度に応じ複数個配置し、又、作業手順表等も貼付してある。１７は料金の投入口、１８は作業工程表示ランプである。
次に、本体ケース２の内部を説明する。投入開閉扉４を開放すると内部にフード３２で囲った投入空間３が設けてあり、その下方に投入ホッパー１が設けてある。１９は玄米有無センサーであり、投入料金に対応する設定作業時間経過後、玄米が投入ホッパー１内に残っていることを検出した場合に追加料金の投入を案内する。
【００２１】
投入ホッパー１の下方には石抜き機２０を設けてあり、該石抜き機２０は前側の石排出路２２側を高く傾斜した状態で揺動され通気性を有する選別棚２１と、該選別棚２１を揺動させるモータ２３及び駆動装置２４と、該選別棚２１に下方から送風するファン２５等から構成してある。揺動選別棚２１の傾斜下方側には選別される玄米の取出通路２６を設けてあり、その下端は昇降機２７の供給口２８に連通してある。
【００２２】
昇降機２７はモータ２８により駆動され、その上端の排出シュート２９から精米機９のタンク５１へ供給可能に構成してある。
精米機９はモータ５２により伝動装置を介して駆動される公知の摩擦式のものであり、下方の排出口５４から排出される白米を白米ホッパー１０へ供給し貯留する。
【００２３】
利用者が取出開閉扉３０を開くと、白米ホッパー１０の下部には基端を中心に先端を下方へ回動可能の取出弁１１を設けてあり、該取出弁１１を回動させることにより白米ホッパー１０内の白米を利用者が持参する袋等に回収可能に構成してある。取出開閉扉３０の取出弁１１に対向する位置には透明窓３５を形成しており、利用者が白米をどこから取出すかが視認し易い。
【００２４】
５５はファンであり、モータ３８により駆動され、その吸気側を精米機９周囲の糠回収室１３に吸気通路３９を介して連通し、その排気側を糠回収室１３上部に設置するサイクロン４０外周に沿って連通してある。従って、この渦巻き流により比重選別される糠は下方の糠袋１２に回収可能に構成してある。
【００２５】
この糠回収室１３は、前述の如くその前面の扉１５をヒンジ１４．１４を中心に右方へ回動させて糠袋１２を回収可能に構成され、又、この糠回収室１３を除く本体ケース１内は精米機９、石抜き機２０等を収納する機械室Ｋであり、その前面はヒンジ４２．４２を中心に左方向へ開閉する点検用扉４１に構成する。
【００２６】
なお、取出開閉扉３０と投入開閉扉４は点検用扉４１に取り付けられている構成で、点検用扉４１の開閉操作を行なうときは、取出開閉扉３０と投入開閉扉４も一体となる構成である。すなわち、精米設備の管理者が点検用扉４１を開くと、投入空間３と機械室Ｋ内と白米ホッパー１０が露出し、管理者は所望の点検を行なうことができる。
【００２７】
図５に示すロック機構７は、本体ケース２側に設ける電磁式のソレノイドにより進退するロック部材４５であり、ハーネス（図示せず）を投入開閉扉４に取り付けるハーネス通し具４６内を通し、ソレノイドの作動により投入開閉扉４の解除・閉鎖行う構成である。料金を投入すると解除して投入開閉扉４は開放可能とし、利用者が玄米投入後投入開閉扉４を閉じてロック機構の閉鎖を検出すると、精白度選択スイッチ８を点灯し、次工程の作業へ進める構成である。
【００２８】
５７はＬＥＤランプであり投入開閉扉４上部に料金の投入により点灯し、精米作業の終了まで点灯を続ける作業灯の役目を果たすと共に、投入料金に対応する精米作業時間が経過しても、前述の投入ホッパー１に設ける玄米有無センサー１９が玄米の残留を検出した場合には、更に、点灯を継続し料金の追加投入を促すよう構成してある。
【００２９】
精米運転の概要について説明する。
利用者は料金投入口１７に料金を投入すると、ロック機構７によりロック解除され、投入開閉扉４が開く。そして、利用者は投入ホッパ１に玄米を投入して閉じるとロック機構７によりロックされ、精白度選択スイッチ８が点灯し、所望の精白度を選択することができる。精白度を選択すると機械室Ｋ内の装置の駆動が開始され、投入ホッパ１内の玄米は石抜機２０に供給されて石抜きされ、昇降機２７を経て精米機９に供給されて精米処理されて白米ホッパ１０に排出される。利用者は取出開閉扉３０を開いて取出弁１１を操作して白米ホッパ１０内の白米を取り出す。
【００３０】
前述の如く、投入開閉扉４は隣接の操作表示部５との間のスペースに設置する縦方向のヒンジ６を中心に開閉可能で該投入開閉扉４の開放時に該投入開閉扉４が操作表示部５の前面を覆うよう構成するものであるから、玄米投入後、投入開閉扉４を閉鎖しないと操作表示部５が該投入開閉扉４に覆われ操作が行いづらく、精白度選択スイッチ８の操作等次工程の操作の支障となり、必然的に投入開閉扉４を閉鎖することとなる。従って、従来の技術の如き投入開閉扉４の閉鎖忘れによるトラブルを防止し設備を保護することが可能となる。
【００３１】
又、投入開閉扉４にはロック機構７が設けられ該ロック機構７は料金の投入により解除され、玄米投入後投入開閉扉４の閉鎖によりロックされると共に操作表示部５の精白度選択スイッチ８が点灯するよう構成したものであるから、投入開閉扉４の閉鎖とロック機構７のロックを条件に精米設備の運転が可能であり、従来技術の如き投入開閉扉４の閉鎖忘れによるトラブルを確実に防止することができる。
【００３２】
投入開閉扉４に投入ホッパー１及び投入空間３を視認可能の透明窓１６設けてあり、投入開閉扉４の開放状態のとき該透明窓１６が操作表示部５の精白度選択スイッチ８に対応位置するため、精米運転時には玄米の流入状況等を把握でき、又、投入開閉扉４を開放し玄米を投入ホッパー１へ供給時、またはその終了時に、透明窓１６から次工程の精白度選択スイッチ８が確認でき、その操作手順が認識され易く、又、その操作の準備のため投入開閉扉４の閉鎖の必要性が認識されるため作業を円滑に行うことができる。
【００３３】
また、この精米設備は本体ケース２内にフード３２及び機械室Ｋと糠回収室１３とを仕切る仕切壁３３で投入空間３と機械室Ｋと糠回収室１３とに区分けし、かつ一体的に構成するため、コンパクトな精米設備にすることができる。また、点検用扉４１と糠回収室開閉扉３１とを反対方向、すなわち、観音扉状に開閉する構成とすることで、機械室Ｋの点検作業と糠回収室１３の点検作業を別個に行うとき、または同時に行なうときも作業しやすい。
【００３４】
また、取出開閉扉３０をヒンジ３７により左側に向かって開放する構成、即ち糠回収室開閉扉３１の開閉方向と反対方向とすることで、糠回収室開閉扉３１の開閉動作を邪魔しない。また、投入開閉扉４の下部の開閉軌跡と取出開閉扉３０の上部の開閉軌跡をラップさせることで、両方を同時に開放状態とし難くすることができ、いずれかを閉じさせるようにすることで玄米の投入作業又は白米の取出し作業を行ない易くすることができる。
【００３５】
投入開閉扉４の裏面には上下左右に前後方向に厚みのある四角状の囲い板４９を設け、投入開閉扉４が閉鎖時は扉の裏面に当接する。囲い板４９の右側部４９ａは操作盤６の裏側の点検用扉４１に取り付けている制御盤（図示せず）等の各種電装品との間を遮蔽することができる。囲い板４９の下側部４９ｂは利用者が持参した玄米を収容した袋の置き台を兼ねることができる。また、囲い板４９の上側部４９ｃや左側部４９ｄは防水の役割を果たすことができる。
【符号の説明】
【００３６】
１    投入ホッパー
２    本体ケース
３    投入空間
４    開閉扉
５    操作表示部
６    ヒンジ
７    ロック機構
８    精白度選択スイッチ
１６  透明窓
【図１】
0005471950.tif 000002
【図２】
0005471950.tif 000003
【図３】
0005471950.tif 000004
【図４】
0005471950.tif 000005
【図５】
0005471950.tif 000006
【図６】
0005471950.tif 000007
【図７】
0005471950.tif 000008